(57)【要約】      （修正有）【課題】雇用のミスマッチを有効に解決するシステムを提供する。【解決手段】就労時間マッチングシステム１０は、供給側端末装置１〜および消費側端末装置２〜との間で通信回線３を介して接続可能なシステムであり、供給側端末装置において入力される時間供給者固有情報、供給可能情報、消費側端末装置において入力される時間消費者固有情報を格納するデータベース構造４と、供給可能情報を各端末装置において閲覧可能とする供覧用画面構造５と、データベース構造４に格納された情報に基づいて供覧用情報を生成しこれを提供する情報処理構造６を備える。供覧用画面構造には、消費側端末装置において入力される時間消費申込み情報、それに対して供給側端末装置において入力される申込み受諾情報を表示する経過表示部７及びシフト作成部Ｔが設けられている。【選択図】図１
2019121046.tif 000002
【特許請求の範囲】
【請求項１】
就労時間供給を希望する一または複数の者（以下、「時間供給者」）によりそれぞれ操作される供給側端末装置、および就労時間使用を希望する一または複数の者（以下、「時間消費者」）によりそれぞれ操作される消費側端末装置との間で通信回線を介して接続可能な、就労時間の供給―使用（消費）のマッチング処理（以下、単に「マッチング」）を行うための就労時間マッチングシステムであって、該マッチングシステムは、
該供給側端末装置において入力される時間供給者固有情報、該消費側端末装置において入力される時間消費者固有情報、ならびに該供給側端末装置において入力される供給可能情報を一括してまたは個別に格納するための一または複数のデータベース構造と、
該供給可能情報を該各端末装置において閲覧可能とする供覧用画面構造と、
および、該データベース構造に格納された情報に基づいて供覧用情報を生成しこれを提供する情報処理構造とを備え、
該供覧用画面構造には、該消費側端末装置において入力される時間消費申込み情報、および該時間消費申込み情報に対して該供給側端末装置において入力される申込み受諾情報を表示する経過表示部が設けられており、
該供給可能情報に基づき、就労スケジュールに係るシフト表を該時間消費申込み情報の入力の前か後に、または同時に作成するシフト作成部を備えており、 
該シフト作成部は、少なくとも下記（ア）〜（ウ）のいずれか一以上の条件を満たすようにシフト表を作成し、 
条件を満たす最適なシフトの計算を行って該消費者側端末装置に対してシフト表情報として最適なシフトの提案を行う 
ことを特徴とする、就労時間マッチングシステム。 
（ア）前記時間供給者数をできるだけ少なくすること。 
（イ）前記時間供給者の交替回数をできるだけ少なくすること。 
（ウ）前記供給可能情報に係る１日当りの時間数が所定基準値以下であること。
【請求項２】
就労時間供給を希望する一または複数の者（時間供給者）によりそれぞれ操作される供給側端末装置、および就労時間使用を希望する一または複数の者（時間消費者）によりそれぞれ操作される消費側端末装置との間で通信回線を介して接続可能な、就労時間の供給―使用（消費）のマッチング処理（マッチング）を行うための就労時間マッチングシステムであって、該マッチングシステムは、
該供給側端末装置において入力される時間供給者固有情報、該消費側端末装置において入力される時間消費者固有情報、ならびに該消費側端末装置において入力される消費希望情報を一括してまたは個別に格納するための一または複数のデータベース構造と、
該消費希望情報を該各端末装置において閲覧可能とする供覧用画面構造と、
および、該データベース構造に格納された情報に基づいて供覧用情報を生成しこれを提供する情報処理構造とを備え、
該供覧用画面構造には、該供給側端末装置において入力される時間供給申込み情報、および該時間供給申込み情報に対して該消費側端末装置において入力される申込み受諾情報を表示する経過表示部が設けられており、
該消費希望情報に応じて入力された一または複数の該時間供給申込み情報に基づき、就労スケジュールに係るシフト表を作成するシフト作成部を備えており、
該シフト作成部は、少なくとも下記（ア）〜（ウ）のいずれか一以上の条件を満たすようにシフト表を作成し、 
条件を満たす最適なシフトの計算を行って該消費者側端末装置に対してシフト表情報として最適なシフトの提案を行う 
ことを特徴とする、就労時間マッチングシステム。 
（ア）前記時間供給者数をできるだけ少なくすること。 
（イ）前記時間供給者の交替回数をできるだけ少なくすること。 
（ウ）前記供給可能情報に係る１日当りの時間数が所定基準値以下であること。
【請求項３】
就労時間供給を希望する一または複数の者（時間供給者）によりそれぞれ操作される供給側端末装置、および就労時間使用を希望する一または複数の者（時間消費者）によりそれぞれ操作される消費側端末装置との間で通信回線を介して接続可能な、就労時間の供給―使用（消費）のマッチング処理（マッチング）を行うための就労時間マッチングシステムであって、該マッチングシステムは、
該供給側端末装置において入力される時間供給者固有情報ならびに供給可能情報、該消費側端末装置において入力される時間消費者固有情報ならびに消費希望情報を一括してまたは個別に格納するための一または複数のデータベース構造と、
該供給可能情報または該消費希望情報の少なくともいずれかを該各端末装置において閲覧可能とする供覧用画面構造と、
および、該データベース構造に格納された情報に基づいて供覧用情報を生成しこれを提供する情報処理構造とを備え、
該供覧用画面構造には、該消費側端末装置において入力される時間消費申込み情報、および該時間消費申込み情報に対して該供給側端末装置において入力される申込み受諾情報の表示用、または該供給側端末装置において入力される時間供給申込み情報、および該時間供給申込み情報に対して該消費側端末装置において入力される申込み受諾情報の表示用、少なくともいずれかの経過表示部が設けられており、
該供給可能情報に基づき、または該消費希望情報に応じて入力された一もしくは複数の該時間供給申込み情報に基づき、就労スケジュールに係るシフト表を作成するシフト作成部を備えており、
該シフト作成部は、少なくとも下記（ア）〜（ウ）のいずれか一以上の条件を満たすようにシフト表を作成し、 
条件を満たす最適なシフトの計算を行って該消費者側端末装置に対してシフト表情報として最適なシフトの提案を行う 
ことを特徴とする、就労時間マッチングシステム。 
（ア）前記時間供給者数をできるだけ少なくすること。 
（イ）前記時間供給者の交替回数をできるだけ少なくすること。 
（ウ）前記供給可能情報に係る１日当りの時間数が所定基準値以下であること。
【請求項４】
前記供給可能情報および前記消費希望情報の比較により所定の一致点が確認された場合にその確認結果をマッチング可能情報として生成する機能を備えており、かつ該マッチング可能情報を前記供給側端末装置または消費側端末装置の少なくともいずれかに送信する送信部を備えていることを特徴とする、請求項３に記載の就労時間マッチングシステム。
【請求項５】
前記供給側端末装置において入力される時間消費者評価情報、または前記消費側端末装置において入力される時間供給者評価情報の少なくともいずれかが格納され得ることを特徴とする、請求項１、２、３、４のいずれかに記載の就労時間マッチングシステム。
【請求項６】
前記時間消費者評価情報または前記時間供給者評価情報は、前記情報処理構造により処理されて、前記供覧用画面構造において供覧されることを特徴とする、請求項５に記載の就労時間マッチングシステム。
【請求項７】
前記情報処理構造は、前記時間消費者評価情報または前記時間供給者評価情報を処理して、マッチングの条件を構成する評点情報を生成し、前記供覧用画面構造において供覧されることを特徴とする、請求項５または６に記載の就労時間マッチングシステム。
【請求項８】
前記時間供給者固有情報には少なくとも身分証明情報および所持資格・免許等情報が含まれ、前記時間消費者固有情報には少なくとも自己紹介情報および労働内容情報が含まれ、かつ、下記（Ｓ）または（Ｄ）の少なくともいずれかが備えられることを特徴とする、請求項１、２、３、４、５、６、７のいずれかに記載の就労時間マッチングシステム。
（Ｓ）前記供給可能情報には少なくとも可能職種情報、希望就労条件および供給可能日時情報が含まれること。
（Ｄ）前記消費希望情報には少なくとも希望職務情報、希望就労条件および消費希望日時情報が含まれること。
【請求項９】
前記経過表示部は、前記時間消費申込み情報または前記時間供給申込み情報中に希望就労条件について逆提示する逆提示条件がある場合、それを含めて表示可能であることを特徴とする、請求項１、２、３、４、５、６、７、８のいずれかに記載の就労時間マッチングシステム。
【請求項１０】
前記供給側端末装置または消費側端末装置のいずれか一方において入力される相手先との間で所属関係を希望することを申込む情報（以下、「所属希望申込み情報」）、および、相手先の端末装置において入力される該所属希望申込み情報に対する回答情報について、前記供覧用画面構造における供覧、または送信部による該相手先端末装置への送信の少なくともいずれかがなされるよう構成されており、これにより就労時間の供給―使用（消費）双方における所属関係のマッチング処理（以下、「所属マッチング」）がなされ得ることを特徴とする、請求項１、２、３、４、５、６、７、８、９のいずれかに記載の就労時間マッチングシステム。
【請求項１１】
前記所属希望申込み情報は前記供給側端末装置において入力されるものであることを特徴とする、請求項１０に記載の就労時間マッチングシステム。
【請求項１２】
作成された前記シフト表情報は前記供覧用画面構造における供覧、または送信部による前記消費側端末装置への送信の少なくともいずれかがなされるよう構成され、該消費側端末装置において該シフト表情報に対する回答情報が入力されることにより、就労時間のシフトのマッチング処理（以下、「タイムマッチング」）がなされ得ることを特徴とする、請求項１、２、３、４、５、６、７、８、９、１０、１１のいずれかに記載の就労時間マッチングシステム。
【請求項１３】
前記供覧用情報には前記時間消費者のＰＲ情報その他の前記マッチングを促進するための情報（以下、「促進情報」）が含まれることを特徴とする、請求項１、２、３、４、５、６、７、８、９、１０、１１、１２のいずれかに記載の就労時間マッチングシステム。
【請求項１４】
前記消費側端末装置において入力される前記時間供給者の履歴情報の閲覧申込み情報について、前記供覧用画面構造における供覧、または送信部による前記消費側端末装置への送信の少なくともいずれかがなされるよう構成されていることを特徴とする、請求項１、２、３、４、５、６、７、８、９、１０、１１、１２、１３のいずれかに記載の就労時間マッチングシステム。
【請求項１５】
前記データベース構造、供覧用画面構造および情報処理構造は一または一式の情報処理装置により、またはそれにおいて実現されていることを特徴とする、請求項１、２、３、４、５、６、７、８、９、１０、１１、１２、１３、１４のいずれかに記載の就労時間マッチングシステム。
【請求項１６】
前記マッチングされた就労時間が供給時間実績情報または消費時間実績情報の少なくともいずれかとして保存されることを特徴とする、請求項１、２、３、４、５、６、７、８、９、１０、１１、１２、１３、１４、１５のいずれかに記載の就労時間マッチングシステム。
【請求項１７】
請求項１、２、３、４、５、６、７、８、９、１０、１１、１２、１３、１４、１５、１６のいずれかに記載の就労時間マッチングシステムが、通信回線を介して、就労時間供給を希望する者（時間供給者）により操作される一または複数の供給側端末装置、および就労時間使用を希望する者（時間消費者）により操作される一または複数の消費側端末装置と接続されていることを特徴とする、就労時間シェアリングシステム。
【請求項１８】
請求項１、２、３、４、５、６、７、８、９、１０、１１、１２、１３、１４、１５、１６のいずれかに記載の就労時間マッチングシステム、または請求項１７に記載の就労時間シェアリングシステムを用いて、前記供給側端末装置または前記消費側端末装置の一方からの情報を受けてそれを供覧し、それに対する他方からの申込み情報を供覧することに基づき、就労時間の供給―使用（消費）のマッチング処理を行うことを特徴とする、就労時間マッチング方法。
【発明の詳細な説明】
【技術分野】
【０００１】
本発明は就労時間マッチングシステム、就労時間シェアリングシステム、および就労時間マッチング方法に係り、特に、労働力不足でありながら失業者が多数存在するという雇用のミスマッチを有効に解決することのできる、就労時間マッチングシステム等に関するものである。
【背景技術】
【０００２】
少子高齢化、人口減に時代に突入した日本は今後、労働力不足に悩まされる可能性が高く、環境整備の必要性が叫ばれている。一方、失業者が多数存在するのに、雇用のミスマッチが起きているという現状もある。たとえば、『一人っ子なので親の介護をしなければならず、親の家から通える職場でないと困る、といった人が大勢います。そうした人は、大都市で求人があっても失業したままです。』（http://blogos.com/article/182894/ 2016/9/21 閲覧）という声もある。つまり、「月曜日〜金曜日働いてほしい」という企業と、「今週は月・水・金の.時〜.時までは（ヘルパー等が来るので）可能。来週はまた事情が変わる」という就労希望者の間では、いつまでたってもその溝は埋まらず、ミスマッチのままである。
【０００３】
このような雇用関係におけるマッチングを支援することについては従来、技術的な提案も多くなされている。たとえば後掲特許文献１には、労働希望者の雇用を簡易かつ容易におこなうことが可能な雇用マッチングシステムとして、雇用者端末装置が求人情報管理サーバ装置にアクセスし、少なくとも労働内容、賃金・応募条件を含む雇用条件、募集期間、募集人数のデータからなる求人情報を求人情報格納手段に登録し、求職者端末装置が求人情報管理サーバ装置にアクセスして、求人情報登録手段に登録された求人情報を検索して所望の求人情報を選択し、かつ少なくとも選択した求人情報に応募するための所定事項を記載した求人応募情報を求人情報管理サーバ装置に送信し、求人情報管理サーバ装置は送信された求人応募情報を求人応募情報登録手段に登録し、かつ送信された求人応募情報を前記応募された雇用者の雇用者端末装置に送信する、というシステムが開示されている。
【先行技術文献】
【特許文献】
【０００４】
【特許文献１】特開２００３−５８６２７号公報「雇用マッチングシステム，サーバ装置，端末装置，プログラム，プログラムを記録した媒体，雇用マッチング方法及びサーバ装置の処理方法。」
【発明の概要】
【発明が解決しようとする課題】
【０００５】
しかし、上記文献開示技術は要するに、雇用者側の都合主導という従来の雇用関係の考え方に留まるものであり、雇用のミスマッチを根本的に解決できるものではない。失業者が多数存在するのに雇用のミスマッチが起きているという問題を根本的に解決する理念が必要である。
【０００６】
さて、現代は“シェアリング（シェア）”の時代であると言われ、自動車、雨傘、住居（部屋）など、さまざまな物のシェアが試みられ、また事業化されてもいる。これを、先の雇用の問題に適用することができると考える。つまり、雇用のミスマッチ問題に対応するためには、労働者が“シェア”できる時間を登録して雇用者（企業）側はその“シェアできる”人たちでやりくりを行うこととしたり、あるいは逆に、雇用者（企業）側が労働者の“シェア”できる時間を求めて時間消費の申込みをして労働者がそれに応じることのできるシステムを提供できればよいのである。これを基礎として、具体的な解決手段を編み出せばよい。
【０００７】
そこで本発明が解決しようとする課題は、かかる従来技術の問題点をなくし、労働力不足でありながら失業者が多数存在するという雇用のミスマッチを、時間のシェアリングという考え方を基にして有効に解決することのできる、就労時間マッチングシステム、就労時間シェアリングシステム、および就労時間マッチング方法を提供することである。
【課題を解決するための手段】
【０００８】
本願発明者は上記課題について鋭意検討を行った。その結果、本発明を完成するに至った。すなわち、上記課題を解決するための手段として本願で特許請求される発明、もしくは少なくとも開示される発明は、以下の通りである。
〔１〕  就労時間供給を希望する一または複数の者（以下、「時間供給者」）によりそれぞれ操作される供給側端末装置、および就労時間使用を希望する一または複数の者（以下、「時間消費者」）によりそれぞれ操作される消費側端末装置との間で通信回線を介して接続可能な、就労時間の供給―使用（消費）のマッチング処理（以下、単に「マッチング」）を行うための就労時間マッチングシステムであって、該マッチングシステムは、
該供給側端末装置において入力される時間供給者固有情報、該消費側端末装置において入力される時間消費者固有情報、ならびに該供給側端末装置において入力される供給可能情報を一括してまたは個別に格納するための一または複数のデータベース構造と、
該供給可能情報を該各端末装置において閲覧可能とする供覧用画面構造と、
および、該データベース構造に格納された情報に基づいて供覧用情報を生成しこれを提供する情報処理構造とを備え、
該供覧用画面構造には、該消費側端末装置において入力される時間消費申込み情報、および該時間消費申込み情報に対して該供給側端末装置において入力される申込み受諾情報を表示する経過表示部が設けられており、
該供給可能情報に基づき、就労スケジュールに係るシフト表を該時間消費申込み情報の入力の前か後に、または同時に作成するシフト作成部を備えており、 
該シフト作成部は、少なくとも下記（ア）〜（ウ）のいずれか一以上の条件を満たすようにシフト表を作成し、 
条件を満たす最適なシフトの計算を行って該消費者側端末装置に対してシフト表情報として最適なシフトの提案を行う 
ことを特徴とする、就労時間マッチングシステム。 
（ア）前記時間供給者数をできるだけ少なくすること。 
（イ）前記時間供給者の交替回数をできるだけ少なくすること。 
（ウ）前記供給可能情報に係る１日当りの時間数が所定基準値以下であること。
【０００９】
〔２〕  就労時間供給を希望する一または複数の者（時間供給者）によりそれぞれ操作される供給側端末装置、および就労時間使用を希望する一または複数の者（時間消費者）によりそれぞれ操作される消費側端末装置との間で通信回線を介して接続可能な、就労時間の供給―使用（消費）のマッチング処理（マッチング）を行うための就労時間マッチングシステムであって、該マッチングシステムは、
該供給側端末装置において入力される時間供給者固有情報、該消費側端末装置において入力される時間消費者固有情報、ならびに該消費側端末装置において入力される消費希望情報を一括してまたは個別に格納するための一または複数のデータベース構造と、
該消費希望情報を該各端末装置において閲覧可能とする供覧用画面構造と、
および、該データベース構造に格納された情報に基づいて供覧用情報を生成しこれを提供する情報処理構造とを備え、
該供覧用画面構造には、該供給側端末装置において入力される時間供給申込み情報、および該時間供給申込み情報に対して該消費側端末装置において入力される申込み受諾情報を表示する経過表示部が設けられており、
該消費希望情報に応じて入力された一または複数の該時間供給申込み情報に基づき、就労スケジュールに係るシフト表を作成するシフト作成部を備えており、
該シフト作成部は、少なくとも下記（ア）〜（ウ）のいずれか一以上の条件を満たすようにシフト表を作成し、 
条件を満たす最適なシフトの計算を行って該消費者側端末装置に対してシフト表情報として最適なシフトの提案を行う 
ことを特徴とする、就労時間マッチングシステム。 
（ア）前記時間供給者数をできるだけ少なくすること。 
（イ）前記時間供給者の交替回数をできるだけ少なくすること。 
（ウ）前記供給可能情報に係る１日当りの時間数が所定基準値以下であること。
【００１０】
〔３〕  就労時間供給を希望する一または複数の者（時間供給者）によりそれぞれ操作される供給側端末装置、および就労時間使用を希望する一または複数の者（時間消費者）によりそれぞれ操作される消費側端末装置との間で通信回線を介して接続可能な、就労時間の供給―使用（消費）のマッチング処理（マッチング）を行うための就労時間マッチングシステムであって、該マッチングシステムは、
該供給側端末装置において入力される時間供給者固有情報ならびに供給可能情報、該消費側端末装置において入力される時間消費者固有情報ならびに消費希望情報を一括してまたは個別に格納するための一または複数のデータベース構造と、
該供給可能情報または該消費希望情報の少なくともいずれかを該各端末装置において閲覧可能とする供覧用画面構造と、
および、該データベース構造に格納された情報に基づいて供覧用情報を生成しこれを提供する情報処理構造とを備え、
該供覧用画面構造には、該消費側端末装置において入力される時間消費申込み情報、および該時間消費申込み情報に対して該供給側端末装置において入力される申込み受諾情報の表示用、または該供給側端末装置において入力される時間供給申込み情報、および該時間供給申込み情報に対して該消費側端末装置において入力される申込み受諾情報の表示用、少なくともいずれかの経過表示部が設けられており、
該供給可能情報に基づき、または該消費希望情報に応じて入力された一もしくは複数の該時間供給申込み情報に基づき、就労スケジュールに係るシフト表を作成するシフト作成部を備えており、
該シフト作成部は、少なくとも下記（ア）〜（ウ）のいずれか一以上の条件を満たすようにシフト表を作成し、 
条件を満たす最適なシフトの計算を行って該消費者側端末装置に対してシフト表情報として最適なシフトの提案を行う 
ことを特徴とする、就労時間マッチングシステム。 
（ア）前記時間供給者数をできるだけ少なくすること。 
（イ）前記時間供給者の交替回数をできるだけ少なくすること。 
（ウ）前記供給可能情報に係る１日当りの時間数が所定基準値以下であること。
【００１１】
〔４〕  前記供給可能情報および前記消費希望情報の比較により所定の一致点が確認された場合にその確認結果をマッチング可能情報として生成する機能を備えており、かつ該マッチング可能情報を前記供給側端末装置または消費側端末装置の少なくともいずれかに送信する送信部を備えていることを特徴とする、〔３〕に記載の就労時間マッチングシステム。
〔５〕  前記供給側端末装置において入力される時間消費者評価情報、または前記消費側端末装置において入力される時間供給者評価情報の少なくともいずれかが格納され得ることを特徴とする、〔１〕、〔２〕、〔３〕、〔４〕のいずれかに記載の就労時間マッチングシステム。
〔６〕  前記時間消費者評価情報または前記時間供給者評価情報は、前記情報処理構造により処理されて、前記供覧用画面構造において供覧されることを特徴とする、〔５〕に記載の就労時間マッチングシステム。
〔７〕  前記情報処理構造は、前記時間消費者評価情報または前記時間供給者評価情報を処理して、マッチングの条件を構成する評点情報を生成し、前記供覧用画面構造において供覧されることを特徴とする、〔５〕または〔６〕に記載の就労時間マッチングシステム。
〔８〕  前記時間供給者固有情報には少なくとも身分証明情報および所持資格・免許等情報が含まれ、前記時間消費者固有情報には少なくとも自己紹介情報および労働内容情報が含まれ、かつ、下記（Ｓ）または（Ｄ）の少なくともいずれかが備えられることを特徴とする、〔１〕、〔２〕、〔３〕、〔４〕、〔５〕、〔６〕、〔７〕のいずれかに記載の就労時間マッチングシステム。
（Ｓ）前記供給可能情報には少なくとも可能職種情報、希望就労条件および供給可能日時情報が含まれること。
（Ｄ）前記消費希望情報には少なくとも希望職務情報、希望就労条件および消費希望日時情報が含まれること。
【００１２】
〔９〕  前記経過表示部は、前記時間消費申込み情報または前記時間供給申込み情報中に希望就労条件について逆提示する逆提示条件がある場合、それを含めて表示可能であることを特徴とする、〔１〕、〔２〕、〔３〕、〔４〕、〔５〕、〔６〕、〔７〕、〔８〕のいずれかに記載の就労時間マッチングシステム。
〔１０〕  前記供給側端末装置または消費側端末装置のいずれか一方において入力される相手先との間で所属関係を希望することを申込む情報（以下、「所属希望申込み情報」）、および、相手先の端末装置において入力される該所属希望申込み情報に対する回答情報について、前記供覧用画面構造における供覧、または送信部による該相手先端末装置への送信の少なくともいずれかがなされるよう構成されており、これにより就労時間の供給―使用（消費）双方における所属関係のマッチング処理（以下、「所属マッチング」）がなされ得ることを特徴とする、〔１〕、〔２〕、〔３〕、〔４〕、〔５〕、〔６〕、〔７〕、〔８〕、〔９〕のいずれかに記載の就労時間マッチングシステム。
〔１１〕  前記所属希望申込み情報は前記供給側端末装置において入力されるものであることを特徴とする、〔１０〕に記載の就労時間マッチングシステム。
〔１２〕  作成された前記シフト表情報は前記供覧用画面構造における供覧、または送信部による前記消費側端末装置への送信の少なくともいずれかがなされるよう構成され、該消費側端末装置において該シフト表情報に対する回答情報が入力されることにより、就労時間のシフトのマッチング処理（以下、「タイムマッチング」）がなされ得ることを特徴とする、〔１〕、〔２〕、〔３〕、〔４〕、〔５〕、〔６〕、〔７〕、〔８〕、〔９〕、〔１０〕、〔１１〕のいずれかに記載の就労時間マッチングシステム。
〔１３〕  前記供覧用情報には前記時間消費者のＰＲ情報その他の前記マッチングを促進するための情報（以下、「促進情報」）が含まれることを特徴とする、〔１〕、〔２〕、〔３〕、〔４〕、〔５〕、〔６〕、〔７〕、〔８〕、〔９〕、〔１０〕、〔１１〕、〔１２〕のいずれかに記載の就労時間マッチングシステム。
【００１３】
〔１４〕  前記消費側端末装置において入力される前記時間供給者の履歴情報の閲覧申込み情報について、前記供覧用画面構造における供覧、または送信部による前記消費側端末装置への送信の少なくともいずれかがなされるよう構成されていることを特徴とする、〔１〕、〔２〕、〔３〕、〔４〕、〔５〕、〔６〕、〔７〕、〔８〕、〔９〕、〔１０〕、〔１１〕、〔１２〕、〔１３〕のいずれかに記載の就労時間マッチングシステム。
〔１５〕  前記データベース構造、供覧用画面構造および情報処理構造は一または一式の情報処理装置により、またはそれにおいて実現されていることを特徴とする、〔１〕、〔２〕、〔３〕、〔４〕、〔５〕、〔６〕、〔７〕、〔８〕、〔９〕、〔１０〕、〔１１〕、〔１２〕、〔１３〕、〔１４〕のいずれかに記載の就労時間マッチングシステム。
〔１６〕  前記マッチングされた就労時間が供給時間実績情報または消費時間実績情報の少なくともいずれかとして保存されることを特徴とする、〔１〕、〔２〕、〔３〕、〔４〕、〔５〕、〔６〕、〔７〕、〔８〕、〔９〕、〔１０〕、〔１１〕、〔１２〕、〔１３〕、〔１４〕、〔１５〕のいずれかに記載の就労時間マッチングシステム。
〔１７〕  〔１〕、〔２〕、〔３〕、〔４〕、〔５〕、〔６〕、〔７〕、〔８〕、〔９〕、〔１０〕、〔１１〕、〔１２〕、〔１３〕、〔１４〕、〔１５〕、〔１６〕のいずれかに記載の就労時間マッチングシステムが、通信回線を介して、就労時間供給を希望する者（時間供給者）により操作される一または複数の供給側端末装置、および就労時間使用を希望する者（時間消費者）により操作される一または複数の消費側端末装置と接続されていることを特徴とする、就労時間シェアリングシステム。
〔１８〕  〔１〕、〔２〕、〔３〕、〔４〕、〔５〕、〔６〕、〔７〕、〔８〕、〔９〕、〔１０〕、〔１１〕、〔１２〕、〔１３〕、〔１４〕、〔１５〕、〔１６〕のいずれかに記載の就労時間マッチングシステム、または〔１７〕に記載の就労時間シェアリングシステムを用いて、前記供給側端末装置または前記消費側端末装置の一方からの情報を受けてそれを供覧し、それに対する他方からの申込み情報を供覧することに基づき、就労時間の供給―使用（消費）のマッチング処理を行うことを特徴とする、就労時間マッチング方法。
【発明の効果】
【００１４】
本発明の就労時間マッチングシステム、就労時間シェアリングシステム、および就労時間マッチング方法は上述のように構成されるため、これらによれば、労働力不足でありながら失業者が多数存在するという雇用のミスマッチを、時間のシェアリングという考え方を基にして有効に解決することができる。
つまり本発明就労時間マッチングシステム等は、将来の労働力不足に対する環境整理の一支援策となるものであり、労働者と企業のミスマッチも解消され、かつ、各個人がもつ２４時間という時間を、効率的にかつ経済的に使用することができる。また、本発明により、「労働者」「企業側」というこれまでの概念を超えた、
「労働者」→  時間供給者
「企業側」→  時間消費者
という全く新たな関係、概念を社会に対して発信し、広めていくことができる。これは、ともすれば企業側優位であった労使関係、雇用関係における意識改革をもたらす可能性が高い。また、人類全体において有限な時間を、より高度かつ有意義に共有することができる。また、社会全般における時間価値の再定義をもたらし得る、革新的な発明である。
【図面の簡単な説明】
【００１５】
【図１】本発明就労時間マッチングシステムの第一基本構成を示す概念図である。
【図１−２】図１に示すシステムにおける基本的なフローを示す説明図である。
【図１−３】図１に示すシステムにおけるシフト作成に係るフローを示す説明図である。
【図２】本発明就労時間マッチングシステムの第二基本構成を示す概念図である。
【図２−２】図２に示すシステムにおける基本的なフローを示す説明図である。
【図２−３】図２に示すシステムにおけるシフト作成に係るフローを示す説明図である。
【図３】本発明就労時間マッチングシステムの第三基本構成を示す概念図である。
【図３−２】図３に示すシステムにおける基本的なフローを示す説明図である。
【図３−３】図３に示すシステムにおけるシフト作成に係るフローを示す説明図である。
【図４】プッシュ配信機能を備えた本発明就労時間マッチングシステムの構成を示す概念図である。
【図４−２】図４に示すシステムにおける基本的なフローを示す説明図である。
【図５】評価情報処理機能を備えた本発明就労時間マッチングシステムの構成を示す概念図である。
【図５−２】図５に示すシステムにおける基本的なフローを示す説明図である。
【図６】所属マッチング機能を備えた本発明就労時間マッチングシステムの構成を示す概念図である。
【図６−２】図６に示すシステムにおける基本的なフローを示す説明図である。
【図７】図１に示した就労時間マッチングシステムにおける時間供給者Ａによる供給可能情報の例を示した時間割図である。
【図８】図１に示した就労時間マッチングシステムにおける時間供給者Ｂによる供給可能情報の例を示した時間割図である。
【図９】時間供給者Ａについて、図７、８に示した供給可能情報に基づき作成された時間供給者用シフト表例を示す時間割図である。
【図１０】時間供給者Ｂについて、図７、８に示した供給可能情報に基づき作成された時間供給者用シフト表例を示す時間割図である。
【図１１】図７、８に示した供給可能情報に基づき作成された時間消費者用シフト表例を示す時間割図である。
【発明を実施するための形態】
【００１６】
背景技術に記載したことと関連するが、希望しつつ就職できていない看護師免許所持者等へのヒアリング調査、その他の調査を行った結果、病院が病院の時間都合のみで募集を行うから、いつまでたっても人手（看護師）不足が解消されないこと、さらには、失業者が多数存在するのに企業の人手不足が解消されない原因は、企業の時間の都合のみにより募集を行うからであることが明らかとなった。このことから導き出される解決策は、「看護師側（労働者側）が都合のいい日時を申告し、病院側（企業側）はそういった人たちの数の組み合わせによりシフトを組めば可能になる」である。看護師だけに限らず労働者が“シェア”できる時間を事前に登録をし、企業側はその“シェアできる”方々でやりくりを行えば解決することができる。
【００１７】
〔Ａ．第一基本構成の説明＿図１〜図１−３〕
さて、以下、図面により本発明を詳細に説明する。
図１は、本発明就労時間マッチングシステムの第一基本構成を示す概念図である。また、図１−２は、図１に示すシステムにおける基本的なフロー（シフト作成を除く）を示す説明図、そして図１−３は、図１に示すシステムにおけるシフト作成に係るフローを示す説明図である。これらに図示するように本就労時間マッチングシステム１０は、就労時間供給を希望する一または複数の者（時間供給者）によりそれぞれ操作される供給側端末装置１、１ｂ、・・・、および就労時間使用を希望する一または複数の者（時間消費者）によりそれぞれ操作される消費側端末装置２、２ｂ、・・・との間で通信回線３を介して接続可能な、就労時間の供給―使用（消費）のマッチング処理（マッチング）を行うためのシステムであって、供給側端末装置１等（以下、単に「１」とする。図２以降の各図を用いた説明でも同様。）において入力される時間供給者固有情報ｄＳ０等（以下、単に「ｄＳ０」ともする。図２以降の各図を用いた説明でも同様。）、消費側端末装置２等（以下、単に「２」とする。図２以下の各図を用いた説明でも同様）において入力される時間消費者固有情報ｄＤ０等（以下、単に「ｄＳ０」ともする。図２以降の各図を用いた説明でも同様。）、ならびに供給側端末装置１において入力される供給可能情報ｄＳ１等（以下、単に「ｄＳ１」ともする。図２以降の各図を用いた説明でも同様。）を一括してまたは個別に格納するための一または複数のデータベース構造４と、供給可能情報ｄＳ１を各端末装置１、２において閲覧可能とする供覧用画面構造５と、およびデータベース構造４に格納された情報に基づいて供覧用情報ｄＡを生成しこれを提供する情報処理構造６とを備え、供覧用画面構造５には、消費側端末装置２において入力される時間消費申込み情報ｄＳ１ｒ等（以下、単に「ｄＳ１ｒ」ともする。図２以降の各図を用いた説明でも同様。）、および時間消費申込み情報ｄＳ１ｒに対して供給側端末装置１において入力される申込み受諾情報ｄＳ１ｒｒ等（以下、単に「ｄＳ１ｒｒ」ともする。図２以降の各図を用いた説明でも同様。）を表示する経過表示部７が設けられており、さらに、供給可能情報ｄＳ１に基づき、就労スケジュールに係るシフト表を時間消費申込み情報ｄＳ１ｒの入力の前か後に、または同時に作成するシフト作成部Ｔを備えていることを、主たる構成とする。
【００１８】
本発明システム１０においてシフト作成部Ｔでは、少なくとも下記（ア）〜（ウ）のいずれかの条件を満たすようにシフト表が作成され、
条件を満たす最適なシフトの計算を行って消費者側端末装置２、２ｂ、・・・に対してシフト表情報ｄＴとして最適なシフトの提案を行うように構成されている。 
（ア）時間供給者数をできるだけ少なくすること。 
（イ）時間供給者の交替回数をできるだけ少なくすること。 
（ウ）供給可能情報に係る１日当りの時間数が所定基準値以下であること。
【００１９】
なお、上述の時間消費者固有情報、時間供給者固有情報、供給可能情報、供覧用情報、時間消費申込み情報、申込み受諾情報、シフト表情報、および図２以降の図を用いて後述する消費希望情報、時間供給申込み情報、申込み受諾情報、回答情報、時間供給者評価情報、マッチング可能情報、所属希望申込み情報、時間消費者評価情報といった「情報」についての説明やフロー説明図中の表示では、一のみのそれらを示す場合があるが、その場合でもそれらの数は一ではなく、供給者側端末装置や消費者側端末装置の数に対応してそれぞれ複数の場合があり得る。
【００２０】
本発明システム１０において、これを使用し得る供給側端末装置１、消費側端末装置２の数はいずれも限定されず、一または複数である。また、通信回線としてはインターネットを好適に用いることができるが、これに限定されず、両装置１、２および本システム１０が本発明に係る各通信を行えるものであればよい。また、時間供給者固有情報ｄＳ０には少なくとも身分証明情報および所持資格・免許等情報が含まれ、時間消費者固有情報ｄＤ０には少なくとも企業概要等の自己紹介情報および労働内容情報が含まれることとするが、その他の情報が含まれていても、もちろんよい。また、供給可能情報ｄＳ１には、
（Ｓ）少なくとも可能職種情報、希望就労条件および供給可能日時情報が含まれること
とすることができる。
【００２１】
時間供給者固有情報ｄＳ０、消時間消費者固有情報ｄＤ０、供給可能情報ｄＳ１は、データベース構造４に一括して格納される形態でも、個別に格納される形態でもよい。また、データベース構造４は一のみでも複数でもよい。また、情報処理構造６は本システム１０における様々な処理を行うことができ、データベース構造４に格納された情報に基づいて供覧用情報ｄＡを生成しこれを提供する機能はその一つである。また、供覧用画面構造５は、各端末装置１、２においてそれらを操作する者がマッチング処理に係る状況、情報を閲覧することのできる画面を提供するものであり、その経過表示部７には、消費者側端末装置２から入力される供給可能情報ｄＳ１、これに対して消費側端末装置２において入力される時間消費申込み情報ｄＳ１ｒ、および時間消費申込み情報ｄＳ１ｒに対して供給側端末装置１において入力される申込み受諾情報ｄＳ１ｒｒが表示される。なお、各固有情報ｄＳ０、ｄＳ１も各端末装置１、２において閲覧可能であることは言うまでもない。また、供覧用情報ｄＡとは、特に情報処理構造６による何らかの処理を経て生成された情報、程の意味合いである。しかしながら、画面表示構造５に表示される他の各情報が情報処理構造６の処理を受けたものであってはならない訳ではない。
【００２２】
かかる構成により本就労時間マッチングシステム１０によれば、供給側端末装置１において入力される時間供給者固有情報ｄＳ０、供給可能情報ｄＳ１、および消費側端末装置２において入力される時間消費者固有情報ｄＤ０は、一括してまたは個別に、データベース構造４に格納されるとともに、マッチング処理に用いられる。各端末装置１、２において、供覧用画面構造５による供覧用情報ｄＡ（供給可能情報ｄＳ１に基づく。しかし、それに限定されない）または供給可能情報ｄＳ１の閲覧が可能であるが、特に消費者側端末装置２においては当該供給可能情報ｄＳ１の閲覧に基づいてここで供給可能と提示された時間を消費することが希望される場合には、時間消費申込み情報ｄＳ１ｒが入力され、供覧用画面構造５の経過表示部７に表示される。
【００２３】
供給側端末装置１において、この時間申込みを受諾することが希望される場合は、申込み受諾情報ｄＳ１ｒｒが入力され、これが供覧用画面構造５の経過表示部７に表示される。以上の流れを経て、就労時間の供給―使用（消費）のマッチングが完了する。
【００２４】
また、図１−３に示すように本発明就労時間マッチングシステム１０はシフト作成部Ｔを備えているため、シフト作成部Ｔでは、供給可能情報ｄＳ１等に基づき、就労スケジュールに係るシフト表が作成される。かかるシフト表の作成は、時間消費申込み情報ｄＳ１ｒｒの入力の前であっても、後であっても、または同時であってもよい。シフト表の作成は、少なくとも下記（ア）〜（ウ）のいずれか一以上の条件を満たすようになされる。
（ア）時間供給者数をできるだけ少なくすること。 
（イ）時間供給者の交替回数をできるだけ少なくすること。 
（ウ）供給可能情報に係る１日当りの時間数が所定基準値以下であること。
シフト作成部Ｔでは、上記条件の少なくともいずれか一以上を満たす最適なシフトの計算が行われてシフト表（シフト表情報ｄＴ）が作成され、後述する送信部９等により、消費者側端末装置２、２ｂ、・・・に対してシフト表情報ｄＴが提示され、このようにして最適なシフトの提案が行なわれる。なお本マッチングシステム１０は、上記条件の全てを満たしたシフト表を作成し得るように構成されるものとすることもできる。
【００２５】
また、シフト作成部Ｔは、各時間供給者の時間供給量に偏りが生じる可能性が高いことを踏まえ、
（エ）時間供給者の条件（最大どのくらい働きたいか、等）
（オ）時間消費消費者の条件（労働基準法、社内規定、等）
（カ）過剰労働に対するセーフティ機能が機能する条件
の少なくともいずれか一つを加味して、時間供給者―時間消費者間や各時間供給者間における公平が担保されるように、条件を満たす最適解を出力する構成とすることもできる。
【００２６】
また、図示するように本システム１０では、作成されたシフト表情報ｄＴは供覧用画面構造５における供覧、または送信部９による消費側端末装置２への送信の少なくともいずれかがなされるよう構成され、消費側端末装置２においてシフト表情報ｄＴに対する回答情報が入力されることにより、就労時間のシフトのマッチング処理すなわちタイムマッチングがなされ得る構成とすることができる。
【００２７】
かかる構成により本システム１０では、シフト作成部Ｔにより作成されたシフト表情報ｄＴは、供覧用画面構造５における供覧か、または送信部９による消費側端末装置２への送信の少なくともいずれかがなされ、消費側端末装置２においてシフト表情報ｄＴに対する回答情報が入力されることで、就労時間のタイムマッチングが完了する。
【００２８】
なお、以上、図１、１−２、１−３により説明した第一基本構成に示す発明内容は、基本的に、以下説明する全ての本発明就労時間マッチングシステムに共通する。したがって以下の説明は、第一基本構成例と相違する点を主として行う。
【００２９】
〔Ｂ．第二基本構成の説明＿図２〜図２−３〕
図２は、本発明就労時間マッチングシステムの第二基本構成を示す概念図である。また、図２−２は、図２に示すシステムにおける基本的なフロー（シフト作成を除く）を示す説明図、そして図２−３は、図２に示すシステムにおけるシフト作成に係るフローを示す説明図である。これらに図示するように本第二基本構成例の就労時間マッチングシステム２１０は、供給側端末装置２１において入力される時間供給者固有情報ｄＳ２０、消費側端末装置２２において入力される時間消費者固有情報ｄＤ２０、ならびに消費側端末装置２２において入力される消費希望情報ｄＤ２を一括してまたは個別に格納するための一または複数のデータベース構造２４と、消費希望情報ｄＤ２を各端末装置２１、２２において閲覧可能とする供覧用画面構造２５と、および、データベース構造２４に格納された情報に基づいて供覧用情報ｄ２Ａを生成しこれを提供する情報処理構造２６とを備え、供覧用画面構造２５には、供給側端末装置２１において入力される時間供給申込み情報ｄＤ２ｒ、および時間供給申込み情報ｄＤ２ｒに対して消費側端末装置２２において入力される申込み受諾情報ｄＤ２ｒｒを表示する経過表示部２７が設けられており、さらに、消費希望情報ｄＤ２に応じて入力された一または複数の時間供給申込み情報ｄＤ２ｒに基づき、就労スケジュールに係るシフト表を作成するシフト作成部２Ｔを備えていることを、主たる構成とする。なお、消費希望情報ｄＤ２には、
（Ｄ）少なくとも希望職務情報、希望就労条件および消費希望日時情報が含まれること
とすることができる。
【００３０】
本発明システム２１０においてシフト作成部２Ｔでは、少なくとも下記（ア）〜（ウ）のいずれかの条件を満たすようにシフト表が作成され、
条件を満たす最適なシフトの計算を行って消費者側端末装置２２、２２ｂ、・・・に対してシフト表情報ｄ２Ｔとして最適なシフトの提案を行うように構成されている。 
（ア）時間供給者数をできるだけ少なくすること。 
（イ）時間供給者の交替回数をできるだけ少なくすること。 
（ウ）供給可能情報に係る１日当りの時間数が所定基準値以下であること。
【００３１】
つまり、第二基本構成と第一基本構成は初めにアクションを起こす側がいずれであるかという点で基本的に相違し、図１等で示した第一基本構成ではそれが供給側端末装置１であり、本第二基本構成ではそれが消費側２２である。
【００３２】
かかる構成により本就労時間マッチングシステム２１０では、供覧用画面構造２５に表示され閲覧される消費希望情報ｄＤ２またはそれを表す供覧用情報ｄ２Ａに対し、供給側端末装置２１において時間供給申込み情報ｄＤ２ｒが入力されると、それが経過表示部２７に表示され、それに対して消費側端末装置２２において申込み受諾情報ｄＤ２ｒｒが入力されると、それも経過表示部２７に表示される。以上の流れを経て、消費側端末装置２２主導による就労時間の供給―使用（消費）のマッチングが完了する。
【００３３】
図示するように本就労時間マッチングシステム２１０は、消費希望情報ｄＤ４に応じて入力された一または複数の時間供給申込み情報ｄＤ２ｒに基づき、就労スケジュールに係るシフト表を作成するシフト作成部２Ｔを備えている。本システム２１０は、後述する所属マッチングによって所属関係が成立している供給側端末装置―消費側端末装置間におけるマッチングの際に特に有効だが、それには限定されない。
【００３４】
かかる構成により、本システム７１０では、消費希望情報ｄＤ２に応じて入力された一または複数の時間供給申込み情報ｄＤ２ｒに基づき、シフト作成部２Ｔにより就労スケジュールに係るシフト表が作成される。また、シフト作成部２Ｔが、
（ア）前記時間供給者数をできるだけ少なくすること
（イ）前記時間供給者の交替回数をできるだけ少なくすること
（ウ）前記供給可能情報に係る１日当りの時間数が所定基準値以下であること
の少なくともいずれかを満たしたシフト表、または全てを満たしたシフト表を作成するように構成されるものとすることができる点など、基本的に第一基本構成例と同様である。
【００３５】
〔Ｃ．第三基本構成の説明＿図３〜図３−３〕
図３は、本発明就労時間マッチングシステムの第三基本構成を示す概念図である。また、図３−２は、図３に示すシステムにおける基本的なフロー（シフト作成を除く）を示す説明図、そして図３−３は、図３に示すシステムにおけるシフト作成に係るフローを示す説明図である。これらに図示するように本第三基本構成例の就労時間マッチングシステム３１０は、供給側端末装置３１において入力される時間供給者固有情報ｄＳ３０ならびに供給可能情報ｄＳ３、消費側端末装置３２において入力される時間消費者固有情報ｄＤ３０ならびに消費希望情報ｄＤ４を一括してまたは個別に格納するための一または複数のデータベース構造３４と、供給可能情報ｄＳ３または消費希望情報ｄＤ４の少なくともいずれかを各端末装置３１、３２において閲覧可能とする供覧用画面構造３５と、および、データベース構造３４に格納された情報に基づいて供覧用情報ｄ３Ａを生成しこれを提供する情報処理構造３６とを備え、供覧用画面構造３５には、消費側端末装置３２において入力される時間消費申込み情報ｄＳ３ｒ、および時間消費申込み情報ｄＳ３ｒに対して供給側端末装置３１において入力される申込み受諾情報ｄＳ３ｒの表示用、または供給側端末装置３１において入力される時間供給申込み情報ｄＤ４ｒ、および時間供給申込み情報ｄＤ４ｒに対して消費側端末装置３２において入力される申込み受諾情報ｄＤ４ｒｒの表示用、少なくともいずれかの経過表示部３７が設けられており、さらに、供給可能情報ｄＳ３に基づき、または消費希望情報ｄＤ４に応じて入力された一もしくは複数の時間供給申込み情報ｄＤ４ｒに基づき、就労スケジュールに係るシフト表を作成するシフト作成部３Ｔを備えていることを、主たる構成とする。つまり、第三基本構成である本システム３１０は、第一基本構成のシステム１０と第二基本構成のシステム２１０の構成・機能・作用効果を併せ備えたシステムである。
【００３６】
かかる構成により本就労時間マッチングシステム３１０では、図１等により説明した第一基本構成と同じ供給側端末装置３１主導によるマッチングも、図２等により説明した第二基本構成と同じ消費側端末装置３２主導によるマッチも、なされ得る。したがって、双方にとって利便性がより高いシステムである。時間供給者、時間消費者双方いずれからも、時間の供給可能情報や消費希望情報を出してマッチング作業を開始することができ、最も実用性の高い構成である。以下の説明では、主に第三基本構成に基づいて説明する。また、以降の各図では、第一、第二、第三構成例では説明のない事項を主として記載し、特にフロー図では共通する部分については図示を省略することがある。また、シフト作成部を備える本発明就労時間マッチングシステムにおけるタイムマッチングの仮想例については、追って図７〜１１によりさらに説明を補足する。
【００３７】
〔Ｄ．時間供給者、時間消費者について〕
ここで、時間供給者および時間消費者の具体例について説明する。
「時間供給者」としては、たとえば下記の者が考えられる。
・妊娠出産により一旦退職した看護師（子供を保育園等に預けている“時間”のみ仕事可能）
・親を介護中の人（ディサービスを受けている“時間”のみ仕事可能）
・子供が小さいが働く意欲のある母親（子供を親もしくは保育園等に預けられる“時間”のみ仕事可能）
・大学生、専門学校生等（企業側が決められた時間だけを働くのではなく、大学生の空き“時間”を有効に使える）
・副業が許可されている労働者（終業後の“時間”）
・通常時は投資やブログ等によりインターネットを用いて金銭を稼ぎ、その余の時間をシェアする人（言わば、フリーターとも異なる“時間シェアワーカー”）
【００３８】
一方、「時間消費者」としては、労働力不足で悩む企業や、労働者の都合に配慮した適切な労務管理ができていない企業などが考えられるが、たとえば下記の者である。
・看護師、介護士を要する企業
・建設業
・２４時間小売業
・工場
・飲食業
・専門資格者を要する企業
特に、看護師を初め、２４時間稼働しなければならない様々な職種において「時間消費者」たるニーズが大きいものと考えられる。
【００３９】
〔Ｅ．本システムの基本の具体的説明〕
ここまで説明した本発明就労時間マッチングシステムの基本を、より具体的な観点を含めて述べる。
利用登録
各端末装置１、２等においてなされる各固有情報ｄＳ０、ｄＤ０等の入力とは、すなわち、本システム１０等を利用する資格を得るための利用登録であるといえる。利用登録するために、時間供給者（労働者側）は住所等身分を明らかにするもの、運転免許・看護師免許等の所持免許の登録を、一方、時間消費者（企業等雇用者側）は企業概要、労働内容等を登録する訳である。なお、お互いに「利用登録」なのであり、本システム運用主体は、時間供給者と労働契約の締結を行う訳でも、時間消費者と労働者派遣契約を締結する訳でもない。あくまでも「マッチング」を行うのみである。
【００４０】
通常時のマッチング
１．時間供給者が可能職種、希望条件、提供可能時間を登録することによるマッチング
これは、上記第一基本構成および第三基本構成に示した方式に該当する。登録例は、たとえば下記の通りである。
登録例：コンビニエンスストア 時給８００円以上 可能時間 今週日曜１１時〜１３時 月曜日１１時〜１５時
時間消費者は時間供給者のこの提示条件を閲覧し、提示時給、供給してほしい時間を入力し、時間消費申込みを行う。その申込みに対して時間供給側がＯＫを出すことにより、本発明就労時間マッチングシステムによるマッチング完了となる。その後時間供給者は、決められた日時に時間提供（職務、労働）を行う。
【００４１】
２．時間消費者が求める職務、時給等の条件、分割可能な時間を登録することによるマッチング
これは、上記第二基本構成および第三基本構成に示した方式に該当する。登録例は、たとえば下記の通りである。
登録例：コンビニエンスストア品出し等 時給：千円 分割可能時間：早番8 時〜１７時の１時間単位
時間供給者は時間消費者が提示した条件に対し、供給可能な時間を入力して時間供給申込みを行う。その申込みに対して時間消費者がＯＫを出すことにより、本発明就労時間マッチングシステムによるマッチング完了となる。その後時間供給者は、決められた日時に時間提供（職務、労働）を行う。
【００４２】
〔Ｆ．各種構成例の説明＿図４〜図６−２〕
図４は、プッシュ配信機能を備えた本発明就労時間マッチングシステムの構成を示す概念図である。また、図４−２は、図４に示すシステムにおける基本的なフローを示す説明図である。図示するように本就労時間マッチングシステム４１０は、情報処理構造４６は、データベース構造４４に格納される等した供給可能情報ｄＳ３および消費希望情報ｄＤ４の比較により所定の一致点が確認された場合に、その確認結果をマッチング可能情報ｄＭＴとして生成するマッチング可能情報生成部４８を備えており、かつマッチング可能情報ｄＭＴを供給側端末装置４１または消費側端末装置４２の少なくともいずれかに送信する送信部４９を備えていることを、主たる構成とする。
【００４３】
かかる構成により本就労時間マッチングシステム４１０では、記供給可能情報ｄＳ３および消費希望情報ｄＤ４の比較により所定の一致点が確認された結果に基づいて、マッチング可能情報生成部４８においてマッチング可能情報ｄＭＴが生成され、マッチング可能情報ｄＭＴは送信部４９によって、供給側端末装置４１または消費側端末装置４２の少なくともいずれかに送信される。送信は双方になされることがより望ましい。すなわち本システム４１０は、マッチング成約率を上げるための一つの仕組みであり、双方の条件に合えば少なくとも一方、より望ましくは双方にプッシュ配信し、マッチングを促すものである。これは、後述する所属マッチングを備えない場合、特に有効である。
【００４４】
図５は、評価情報処理機能を備えた本発明就労時間マッチングシステムの構成を示す概念図である。また、図５−２は、図５に示すシステムにおける基本的なフローを示す説明図である。図示するように本就労時間マッチングシステム５１０は、データベース構造５４に格納される等した、供給側端末装置５１において入力される時間消費者評価情報ｄＳＶ、または消費側端末装置５２において入力される時間供給者評価情報ｄＤＶ、の少なくともいずれかが格納され得ることを、主たる構成とする。
【００４５】
かかる構成により、マッチングの結果行われた時間供給―消費に対する双方からの評価情報を蓄積、加工し、参考情報として本システム５１０上にて提供することが可能となる。つまり本構成例５１０では、時間（職務）提供終了後、時間供給者、時間消費者共に、お互いに対する評価をレビューしてシステム５１０にフィードバックすることができ、かつこれを、時間供給者・時間消費者・第三者とも、事後の利用の参考に供するための情報として用いることができる。なお、評価内容は両当事者には知得されないように構成することが望ましい。評価は、様々な観点にて（あだし負担にならない程度）可能な仕様とすることができる。これによれば、双方向で評価をし合えることにより、一方的な低レビュー等を防ぐ効果もある。
【００４６】
さらに本システム５１０には、情報処理構造５６内に、時間消費者評価情報ｄＳＶ、時間供給者評価情報ｄＤＶを処理する評価情報処理部５Ｖを備えた構成とすることもできる。また、ここで処理された結果を供覧用画面構造５５において供覧する構成とすることもできる。
【００４７】
情報処理構造５６中の評価情報処理部５Ｖにおいて生成される評価情報の種類としては、文章・数値・図形その他を特に限定なく用いることができるが、図示するように、評点情報ｄＰＴとしてもよい。つまり、数値による評価であり、かかる評価が最もわかりやすいものと考えられる。評点情報ｄＰＴはまた、事後のマッチングの条件を構成するための情報として扱うこととしてもよい。評点情報ｄＰＴ、その他の評価情報は、図示するように供覧用画面構造５５において供覧される構成とすることができる。
【００４８】
図６は、所属マッチング機能を備えた本発明就労時間マッチングシステムの構成を示す概念図である。また、図６−２は、図６に示すシステムにおける基本的なフローを示す説明図である。図示するように本就労時間マッチングシステム６１０は、供給側端末装置６１（または消費側端末装置６２）のいずれか一方において入力される相手先との間で所属関係を希望することを申込む情報すなわち所属希望申込み情報ｄＳ６、および、相手先の端末装置６２（６１）において入力される所属希望申込み情報ｄＳ６に対する回答情報ｄＤ６について、供覧用画面構造６５における供覧、または送信部６９による相手先端末装置６２、６１への送信の少なくともいずれかがなされるよう構成されており、これにより就労時間の供給―使用（消費）双方における所属関係のマッチング処理すなわち所属マッチングがなされ得ることを、主たる構成とする。
【００４９】
なお、図では、供給側端末装置６１における所属希望申込み情報ｄＳ６入力から始まる所属マッチングの例を示すが、消費者側端末装置６２における所属希望申込み情報入力から始まる所属マッチングも、本システム６１０では可能である。図示する所属マッチングの例では、供給側端末装置６１において入力された所属希望申込み情報ｄＳ６は、供覧用画面構造６５における供覧または送信部６９による相手先・消費側端末装置６２への送信の少なくともいずれかによって相手先に伝えられ、これに対し消費側端末装置６２において入力される回答情報ｄＤ６は、供覧用画面構造６５における供覧または送信部６９による相手先・供給側端末装置６１への送信の少なくともいずれかによって相手先に伝えられる。このようにして、就労時間の供給―使用（消費）に関する所属マッチングがなされ得る。
【００５０】
つまり本システム６１０によれば、時間供給者は時間消費者の基本労働条件、評価等を閲覧した結果これに所属したい（時間供給−消費関係を非一時的なものにしたい、常態化したい）場合に、「所属希望」を出すことができ、所属できる可能性が得られる。所属マッチングにおいては、本システム６１０外におけるプロセスを併せ設けることが望ましい。そのプロセスとは、実際に両者が面会する面接等である。なお、所属先の時間消費者は複数であってもよいが、看護師等一部職種（専門職）の場合には、専門職として所属可能な所属先が１者に限定される場合もあり得る。
【００５１】
一方、図示しなかった消費者側端末装置における所属希望申込み情報入力から始まる所属マッチングとしては、たとえば、コンサルタントや士業有資格者等の供給時間を、言わば顧問や相談役的に消費したい場合などが考えられる。
【００５２】
〔Ｇ．タイムマッチング仮想例の説明＿図７〜図１１〕
図を用いて、タイムマッチングの仮想例を示す。
図７、８はそれぞれ、前掲図１に示した就労時間マッチングシステムにおける時間供給者Ａ、Ｂによる供給可能情報の例を示した時間割図である。すなわち、供給側端末装置７１等において入力され、本システム７１０に登録された提供可能時間の情報である。なお、提供可能時間のうちどれか一日のみ、等といった条件等を付加することもできる。
【００５３】
図９、１０はそれぞれ時間供給者Ａ、Ｂについて、図７、８に示した供給可能情報に基づき作成された時間供給者用シフト表例を示す時間割図である。また図１１は、時間消費者用シフト表例を示す時間割図である。本システム７１０は、各供給側端末装置７１等において入力された供給可能情報（提供可能時間、条件等のデータ）に基づき、最適なシフトの計算を行い、時間消費者に係る消費者側端末装置７２に対して、シフト表情報ｄ７Ｔとして最適なシフトの提案を行う。各図中、格子パターンを付した箇所、灰色に塗られた箇所がそれぞれ、時間供給者Ａ、Ｂの最適シフトとして提案された箇所である。
【００５４】
本例は、Ａ、Ｂの他にＣ、Ｄ、Ｅ、Ｆ、Ｇ、およびＨ、計８名の時間供給者によってある一週間の就労時間のシフトを構成した例である。図１２は時間消費者用に提供されるシフトの提案に係る時間割図である。提案に対して時間消費者が了承する、すなわち消費者側端末装置７２において了承の情報が入力されることに、タイムマッチングが完了となる。そして、各時間供給者Ａ等によって、決められた日時に時間提供（職務）が行われる。なお、図示しないが、シフト表ｄ７Ｔは、供給者側端末装置７１に対して供覧または送信される構成としても、もちろんよい。
【００５５】
図示しないが、本発明就労時間マッチングシステムは、マッチングされた就労時間が供給時間実績情報または消費時間実績情報の少なくともいずれかとして保存される構成とすることができる。そして、保存されたこれらの情報は、時間供給者や時間消費者の固有情報として保存されたり、供覧されたりする構成とすることができる。かかる構成とすることにより、たとえば供給時間実績情報は当該供給側端末装置に係る時間供給者にとっては自身の実績としてアピールできることになり、以後のマッチングを円滑に行える、あるいはより良い条件で進められる、という効果が得られる。消費時間実績情報についても同様である。なお、供給時間実績情報、消費時間実績情報双方を保存、利用できる構成とすることがより望ましい。
【００５６】
〔Ｈ．レベルシステムを用いた例の説明〕
供給時間実績情報や消費時間実績情報は、たとえばＲＰＧ（ロールプレイングゲーム）のようなレベルシステムを用いたものとすることもできる。以下、その例を述べる。
実績情報例＿タイムポイント（ＴＰ）
職務に応じて、“経験値”に変わるタイムポイント（ＴＰ／ＴｉｍｅＰｏｉｎｔ）を用い、就労時間（分）を自動付与する構成。これによって、時間価値を数値化することができる。ＴＰは、時間供給者、時間消費者双方にとって、給料相当のものであると言える。
【００５７】
つまりＴＰは、時間供給者、時間消費者それぞれに対して、“供給時間”“消費時間”として自動付与され、本発明システムで共有された累積時間である。この値は、システム側で自動的に付与されるものであって変更不可である。そして、時間価値を供給（消費）したという指標になる。
【００５８】
実績情報例＿タイムポイント（ＴＰ）の別例
なお、上記例とは別に、時間供給者、時間消費者がそれぞれ相手に対して自由に付加することのできる、評価型のＴＰ制として構築することとしてもよい。この場合、値は、−給料（円）、０（円）、＋給料（円）まで、自由に相手に付けられる。但し、同じ分、自分の経験値にも反映されることになる。したがって、自分のポイントを上げたい場合には、相手のポイントを上げる、ということになる。
【００５９】
〔Ｉ．その他の構成例の説明〕
また、本発明就労時間マッチングシステムは、供覧用情報には時間消費者のＰＲ情報、その他、マッチングを促進するための情報すなわち促進情報が含まれる構成としてもよい。また、経過表示部は、時間消費申込み情報または時間供給申込み情報中に希望就労条件について逆提示する逆提示条件がある場合にそれを含めて表示可能な構成としてもよい。これによれば、たとえば時間消費者は、時間供給者の候補を見て報酬を上げたりすることができる。
【００６０】
その他、マッチング成約率を上げる仕組みとして、たとえば、消費者側端末装置主導のマッチングの場合、消費希望情報に対する供給側端末装置からの時間供給申込み情報がない場合（一部、不足の場合も含む。以下、同様）には、本システムが募集情報を生成し、これを供覧用画面構造での供覧や、供給側端末装置への送信によって、必要時間について募集処理する、という構成とすることもできる。これにより、マッチング成約率の向上、マッチングの促進を図ることができる。
【００６１】
また、本発明システム等においては、時間消費者側における正社員もこれを利用することができることとし、上述のように通常の時間供給者からの時間供給申込み情報がない場合に、正社員による時間供給申込み情報が供給側端末装置において入力、登録された場合には、これを優先的にマッチングに供する、という構成とすることもできる。これにより、マッチング成約率の向上、マッチングの促進を図ることができる。
【００６２】
また、本発明就労時間マッチングシステムは、消費側端末装置において入力される時間供給者の履歴情報の閲覧申込み情報について、供覧用画面構造における供覧、または送信部による消費側端末装置への送信の少なくともいずれかがなされるよう構成されているものとしてもよい。かかる構成によれば、消費者側端末装置における時間消費の決定を円滑化、促進することができ、マッチング成約率の向上、マッチングの促進を図ることができる。本発明システムは、特に時間供給者固有情報を厳重に管理するものとし、マッチングに最低限必要な、基本的な情報しか消費者側端末装置に対して提供しない。しかしたとえば、専門的職業でかつ合理的理由があると認められる場合には、時間供給者の同意を得た上で、必要と思われる履歴（看護実績等）を提供するものである。
【００６３】
以上説明した各就労時間マッチングシステム１０等は、そのデータベース構造４等、供覧用画面構造５等、および情報処理構造６等が、一または一式の情報処理装置によりハード的に構成されるか、または、たとえばクラウドコンピューティング的に、一または一式の情報処理装置において実現されている構成とすることができる。
【００６４】
以上説明した各就労時間マッチングシステム１０等が、通信回線３等を介して、就労時間供給を希望する者（時間供給者）により操作される一または複数の供給側端末装置１等、および就労時間使用を希望する者（時間消費者）により操作される一または複数の消費側端末装置２等と接続されて構成される、就労時間シェアリングシステム５０等も、本発明の範囲内である。各端末装置１等としては、パーソナルコンピュータ、携帯電話、多機能型携帯電話機（スマートフォン）、その他適宜のものを用いることができる。
【００６５】
また、以上説明した各就労時間マッチングシステム１０等、または上記就労時間シェアリングシステム５０等を用いて、供給側端末装置１等、または消費側端末装置２等の一方からの情報を受けてそれを供覧し、それに対する他方からの申込み情報ｄＳ１ｒ等を供覧することに基づき、就労時間の供給―使用（消費）のマッチング処理を行う就労時間マッチング方法もまた、本発明の範囲内である。
【００６６】
〔Ｊ．本発明の補足説明〕
本発明の優位性や収益性など、その有用性を補足的に説明する。
［Ｉ］本発明の新規性・優位性・独創性について
１．本発明の就労時間マッチングシステム等は、ハローワークや転職サイトのように「企業側」が求める時間・条件のみでマッチングが進むのではなく、焦点は「労働者」の職務提供可能時間であり、“時間のシェアリング”である。企業側から見ると、“１歩進んだワークシェアリング”により人手不足を解消可能である。
【００６７】
２．「労働者派遣事業の適正な運営の確保及び派遣労働者の就業条件の整備等に関する法律」によると人材派遣業とは、自社（派遣会社・派遣元）が雇用する人（派遣社員）を派遣先へ送り、派遣先の指揮命令により派遣先の仕事をさせる事業形態のことであるが、本発明システム等においては時間供給者（労働者）を雇用しないし、時間消費者（企業側）へ送るわけではない。時間供給者は、派遣先（時間消費者）の指揮命令には従うため、時間供給者と時間消費者は「労働契約」となるが、これは本発明システム等ではむしろ、「時間消費契約（その時間内に何をしてもらうのか）」であると言える。本発明システム等は、「時間消費契約」を結ぶためのマッチングを行う、また、マッチングした方々のタイムスケジュールを作成する（いわゆるシフト作成）ものである。
【００６８】
３．従来、「労働者」が「企業側」を正当に評価するシステムはなく、Ｗｅｂ上の匿名掲示板への投稿が多い。もしくは転職サイトに投稿される企業評価も真実の労働者によるものであるかどうか、疑問が残るものであると言える。しかし、本発明システム等においては、実際に働いた労働者（時間供給者の生の声を集め、情報提供することができ、時間供給者が時間供給（シェアリング）するか否かを決定する際の参考とすることができる。一方、企業側（時間消費者）も、労働者（時間供給者）に対する他の企業の声を確認することができるため、時間供給（シェアリング）を受けるかどうかの検討の参考とすることができる。
【００６９】
４．また、本発明システム等によれば、企業側から見ると、「採用」と「労務管理（シフト作成）」の双方を、個別に管理するよりも少ない労力・コストで行うこともできる。従来は、採用はハローワークや求人誌、求人サイト、求人の掲示によって行われ、労務管理（シフト作成）は人力による作成、専用ソフト等使用により行われていた。しかし、本発明システム等によれば両者を同時に行うことが可能である。特にシフト作成については、仮に２４時間を１時間ずつ２４人で消費したとすると２４名分のシフト管理が必要となるのであり、労務管理者の手間が相応にかかるが、本システム等によれば半自動的に管理を行うことができ、労力・時間を軽減することができる。
【００７０】
［ＩＩ］収益性について
収益モデルとしてはたとえば、マッチング成立時手数料、サービス利用者に対する課金（月単位など）が可能である。本発明システム等により利便を受ける時間消費者、時間供給者ごとに収益モデル例を挙げる。
［時間消費者］
１．マッチング料金
本発明システム等運営主体に支払う金額＝時間消費者に支払う金額（いわゆる給与）＋マッチング手数料  とする。支払いは、時間消費者  ―＞  運営主体  ―＞  時間供給者 を想定したものである。
例）時給１０００円と入力があった場合、５％の手数料を差し引いて、９５０円が時間供給者に支払われる。
【００７１】
２．シフト表作成のための月会費
これにより、時間供給者の条件をも考慮した最適なシフト表が提案される。
３．企業ＰＲに係る広告料金
たとえば、時間消費者が、早急に所属登録をしてほしい時間供給者を募集したい時などに、当該企業広告情報を供覧し、その対価として課金できる。
４．プッシュ配信の課金
所属登録がされていない場合に、双方の条件に合えば、双方にプッシュ配信するサービスをオプションとして課金する。
５．再募集の課金
消費希望情報に対する応答がない場合は、その時間に対して募集を行うサービスをオプションとして課金する。
６．正社員も含めた労務管理（シフト作成）の料金
７．正社員登用手数料
本発明システムの利用によって、時間供給者が時間消費者の正社員として採用された場合、その手数料を、両者またはいずれか一者に対して課金する。
８．履歴情報閲覧に係る課金
これを閲覧する時間消費者似たいし、課金する。
【００７２】
［時間供給者］
１．月会費
２．プッシュ配信の課金
３．時間供給キャンセル料等
マッチング完了したものの、所定の時間供給が不可能となった場合、あるいはなされなかった場合に、ペナルティー的に課金する。時間消費者側への補償も考慮される。
４．早急対応オプションの課金
早急な時間供給が希望され、システムによる一または複数の時間消費者に対する申込み促進策がとられた場合の課金。また、それにより早急なマッチングがなされた場合の課金。
［その他］
たとえば、上述のＴＰ等、ゲーム性を備えることによるオプション的な課金も可能である。
【産業上の利用可能性】
【００７３】
本発明の就労時間マッチングシステム、就労時間シェアリングシステム、および就労時間マッチング方法によれば、労働力不足でありながら失業者が多数存在するという雇用のミスマッチを、時間のシェアリングという考え方を基にして有効に解決することができる。つまり本発明就労時間マッチングシステム等は、将来の労働力不足に対する環境整理の一支援策となるものであり、労働者と企業のミスマッチも解消され、かつ、各個人がもつ２４時間という時間を、効率的にかつ経済的に使用することができる。したがって、あらゆる分野において産業上利用性が高い発明である。
【符号の説明】
【００７４】
１、１ｂ、２１、２１ｂ、３１、３１ｂ、４１、４１ｂ、５１、５１ｂ、６１、６１ｂ…供給側端末装置
２、２ｂ、２２、２２ｂ、３２、３２ｂ、４２、４２ｂ、５２、５２ｂ、６２、６２ｂ…消費側端末装置
３、２３、３３、４３、５３、６３…通信回線
４、２４、３４、４４、５４、６４…データベース構造
５、２５、３５、４５、５５、６５…供覧用画面構造
５Ｖ…評価情報処理部
６、２６、３６、４６、５６、６６…情報処理構造
７、２７、３７、４７、５７、６７…経過表示部
１０、２１０、３１０、４１０、５１０、６１０…就労時間マッチングシステム
４８…マッチング可能情報生成部
９、２９、３９、４９、６９…送信部
５０、２５０、３５０、４５０、５５０、６５０…就労時間シェアリングシステム
Ｔ、２Ｔ、３Ｔ、４Ｔ、５Ｔ、６Ｔ…シフト作成部
【００７５】
ｄＴ、ｄ２Ｔ、ｄ３Ｔ…シフト表情報
ｄＡ、ｄ２Ａ、ｄ３Ａ…供覧用情報
ｄＤ０、ｄＤ２０、ｄＤ３０…時間消費者固有情報
ｄＤ２、ｄＤ４…消費希望情報
ｄＤ２ｒ、ｄＤ４ｒ…時間供給申込み情報
ｄＤ２ｒｒ、ｄＤ４ｒｒ…申込み受諾情報
ｄＤ６…回答情報
ｄＤＶ…時間供給者評価情報
ｄＭＴ…マッチング可能情報
ｄＳ０、ｄＳ２０、ｄＳ３０…時間供給者固有情報
ｄＳ１、ｄＳ３、ｄＳ３１、ｄＳ３２…供給可能情報
ｄＳ１ｒ、ｄＳ３ｒ…時間消費申込み情報
ｄＳ１ｒｒ、ｄＳ３ｒｒ…申込み受諾情報
ｄＳ６…所属希望申込み情報
ｄＳＶ…時間消費者評価情報
【図１】
2019121046.tif 000003
【図１−２】
2019121046.tif 000004
【図１−３】
2019121046.tif 000005
【図２】
2019121046.tif 000006
【図２−２】
2019121046.tif 000007
【図２−３】
2019121046.tif 000008
【図３】
2019121046.tif 000009
【図３−２】
2019121046.tif 000010
【図３−３】
2019121046.tif 000011
【図４】
2019121046.tif 000012
【図４−２】
2019121046.tif 000013
【図５】
2019121046.tif 000014
【図５−２】
2019121046.tif 000015
【図６】
2019121046.tif 000016
【図６−２】
2019121046.tif 000017
【図７】
2019121046.tif 000018
【図８】
2019121046.tif 000019
【図９】
2019121046.tif 000020
【図１０】
2019121046.tif 000021
【図１１】
2019121046.tif 000022